(57)【要約】【課題】光源が発した熱を放熱させることができる画像読取装置及び画像形成装置を得る。【解決手段】回路基板５９がブラケット５７に支持された状態で、発光素子６１を回路基板５９の他の面５９Ｂに投影させた投影部８６をブラケット５７の平面部５７Ｂが支持するように、平面部５７Ｂの形状が決められている。つまり、発光素子６１によって回路基板５９へ放出された熱は、回路基板５９に必要以上に吸収されることなく、樹脂部材に比して熱伝達率が高い板金部材で形成されたブラケット５７の平面部５７Ｂへ伝達される。すなわち、ブラケット５７により、発光素子６１が発した熱は放熱させる。【選択図】図１
2011023869.tif 000002
【特許請求の範囲】
【請求項１】
列状に並べられ、光を出射する複数の光源と、
前記複数の光源が一の面に取り付けられた基板と、
前記基板の他の面に前記複数の光源を投影させた投影部分を支持する支持部材と、
前記複数の光源から被読取面へ出射され、被読取面から反射した光を読み取る読取手段と、
を備える画像読取装置。
【請求項２】
前記基板と前記支持部材は、少なくとも３箇所で固定されていることを特徴とする、請求項１に記載の画像読取装置。
【請求項３】
請求項１または２に記載の画像読取装置と、
前記画像読取装置によって読み取られた画像データに基づいて、像保持体の表面に光を照射して潜像を形成する露光装置と、
を備える画像形成装置。  
【発明の詳細な説明】
【技術分野】
【０００１】
本発明は、画像読取装置及び画像形成装置に関する。
【背景技術】
【０００２】
特許文献１に記載の画像読取装置は、基板に取り付けられたＬＥＤと、ＬＥＤから出射された光を導く導光体とを備えている。詳細には、ＬＥＤ（点光源）から出射された光が導光体の入射面から導光体に入射し、導光体に入射した光は導光体の内部で反射して導光体の出射面へ導かれるようになっている。
【先行技術文献】
【特許文献】
【０００３】
【特許文献１】特開２００５−２５２６４６号公報
【発明の概要】
【発明が解決しようとする課題】
【０００４】
画像読取装置においては、読取精度を確保するため、画像に光を照射する光源の位置変動、及び光量変動を抑える必要がある。しかし、基板の一の面にＬＥＤなどの光源を列状に複数配列した場合、光源の発熱によって基板が変形して光源の位置が変動したり、光源光量が変動する課題があった。
【０００５】
本発明の課題は、光源が発した熱を放熱させることである。
【課題を解決するための手段】
【０００６】
本発明の請求項１に係る画像読取装置は、列状に並べられ、光を出射する複数の光源と、前記複数の光源が一の面に取り付けられた基板と、前記基板の他の面に前記複数の光源を投影させた投影部分を支持する支持部材と、前記複数の光源から被読取面へ出射され、被読取面から反射した光を読み取る読取手段と、を備えることを特徴とする。
【０００７】
本発明の請求項２に係る画像形成装置は、前記基板と前記支持部材は、少なくとも３箇所で固定されていることを特徴とする。
【０００８】
本発明の請求項３に係る画像形成装置は、請求項１または２に記載の画像読取装置と、前記画像読取装置によって読み取られた画像データに基づいて、像保持体の表面に光を照射して潜像を形成する露光装置と、を備えることを特徴とする。
【発明の効果】
【０００９】
本発明の請求項１の画像読取装置によれば、光源を基板の他の面に投影させた投影部分を支持部材が支持しない場合と比して、光源が発した熱を放熱させることができる。
【００１０】
本発明の請求項２の画像形成装置によれば、光源の発熱によって基板に変形させようとする力が生じた場合にも、基板の変形を抑制することが出来る。
【００１１】
本発明の請求項３の画像形成装置によれば、請求項１に記載の画像読取装置を備えていない場合と比して、像保持体の表面に意図した潜像を形成することができる。
【図面の簡単な説明】
【００１２】
【図１】本発明の実施形態に係る画像形成装置に採用された画像読取装置の第１キャリッジの断面図である。
【図２】本発明の実施形態に係る画像形成装置に採用された画像読取装置の第１キャリッジの断面図である。
【図３】本発明の実施形態に係る画像形成装置に採用された画像読取装置の第１キャリッジの断面図である。
【図４】本発明の実施形態に係る画像形成装置に採用された画像読取装置の発光素子、回路基板及びブラケット等を示した斜視図である。
【図５】本発明の実施形態に係る画像形成装置に採用された画像読取装置の発光素子、回路基板及びブラケット等を示した分解斜視図である。
【図６】本発明の実施形態に係る画像形成装置に採用された画像読取装置の発光素子、回路基、ブラケット及び導光部材等を示した斜視図である。
【図７】本発明の実施形態に係る画像形成装置に採用された画像読取装置の第１キャリッジの示した分解斜視図である。
【図８】本発明の実施形態に係る画像形成装置に採用された画像読取装置の第１キャリッジの示した斜視図である。
【図９】本発明の実施形態に係る画像形成装置に採用された画像読取装置及び自動原稿搬送装置を示した構成図である。
【図１０】本発明の実施形態に係る画像形成装置に採用された画像形成ユニットを示した構成図である。
【図１１】本発明の実施形態に係る画像形成装置を示した概略構成図である。
【発明を実施するための形態】
【００１３】
本発明の実施形態に係る画像形成装置の一例を図１〜図１１に従って説明する。
【００１４】
（全体構成）
図１１に示されるように、本実施形態に係る画像形成装置１０の装置本体１０Ａの上部には、複数枚の読取原稿Ｇを１枚ずつ自動で搬送する自動原稿搬送装置１２と、１枚の読取原稿Ｇが載せられる第１プラテンガラス１６と、自動原稿搬送装置１２によって搬送された読取原稿Ｇ又は第１プラテンガラス１６に載せられた読取原稿Ｇを読み取る原稿読取装置１４とが設けられている。なお、図中矢印ＵＰは鉛直方向上方を示す。
【００１５】
図９に示されるように、自動原稿搬送装置１２は、複数枚の読取原稿Ｇが上面に載せられる原稿台１３と、原稿台１３から読取原稿Ｇを１枚ずつ送り出す送出ロール１５と、送出ロール１５によって送り出された読取原稿Ｇを搬送する第１搬送ロール１７と、を含んで構成されている。
【００１６】
また、自動原稿搬送装置１２は、原稿台１３から送り出された読取原稿Ｇが搬送される第１搬送路１９を備えている。そして、第１搬送路１９には、読取原稿Ｇを読取原稿Ｇの搬送方向の下流側に搬送する第２搬送ロール２１と、読取原稿Ｇを更に搬送方向の下流側に搬送する第３搬送ロール２３と、一旦停止した後に回転を再開し、原稿読取装置１４に対して読取原稿Ｇの先端位置調整（レジスト調整）を施しながら読取原稿Ｇを搬送する位置調整ロール２５と、読み取り中の読取原稿Ｇの搬送を補助する補助ロール２７と、読み取られた読取原稿Ｇを更に搬送方向の下流に搬送する第４搬送ロール２９と、が設けられている。なお、第１搬送路１９には、搬送される読取原稿Ｇを案内するガイド部材が設けられているが、図示を省略する。
【００１７】
さらに、第４搬送ロール２９の搬送方向の下流側には、第２搬送路３１が設けられており、第２搬送路３１の搬送方向の下流側には、読み取りが終了した読取原稿Ｇを排出部３３へ排出させる排出ロール３５が設けられている。
【００１８】
また、排出ロール３５を逆転させることで搬送される読取原稿Ｇが送り込まれる第３搬送路３７が、排出ロール３５と第３搬送ロール２３との間に設けられている。そして、この第３搬送路３７に沿って読取原稿Ｇを搬送させることで、表裏が反転された読取原稿Ｇが再度第１搬送路１９に沿って搬送されるようになっている。なお、第１搬送路１９に沿って搬送される読取原稿Ｇの被読取面を読み取る原稿読取装置１４については詳細を後述する。
【００１９】
一方、図１１に示されるように、装置本体１０Ａの上下方向中央部には、互いに異なった色のトナー画像を形成すると共に、水平方向に対して傾斜した状態に並んで配置される複数個の画像形成ユニット３０が設けられている。さらに、画像形成ユニット３０の上側には、図中矢印Ａ方向に循環駆動しながら各色の画像形成ユニット３０で形成されたトナー画像が転写される無端状の中間転写ベルト３２が設けられている。
【００２０】
画像形成ユニット３０としては、イエロー（Ｙ）、マゼンタ（Ｍ）、シアン（Ｃ）、黒（Ｋ）の４つの画像形成ユニット３０Ｙ、３０Ｍ、３０Ｃ、３０Ｋがこの順で設けられている。そして、最初に中間転写ベルト３２に転写されるイエロー（Ｙ）のトナー画像が形成される画像形成ユニット３０Ｙが最も高い位置に、最後に中間転写ベルト３２に転写される黒（Ｋ）のトナー画像が形成される画像形成ユニット３０Ｋが最も低い位置に設けられ、画像形成ユニット３０Ｙ、３０Ｍ、３０Ｃ、３０Ｋは全体として水平方向に対して斜めに傾斜した状態で一定の間隔を隔てて並べられている。
【００２１】
これらの４つの画像形成ユニット３０Ｙ、３０Ｍ、３０Ｃ、３０Ｋは、基本的に、同様に構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００２２】
図１０に示されるように、各色の画像形成ユニット３０には、図示しない駆動手段によって矢印Ｄ方向に回転する像保持体３４が設けられ、さらに、この像保持体３４の表面を一様に帯電する帯電用の帯電部材３６が設けられている。
【００２３】
また、帯電部材３６に対して像保持体３４の回転方向の下流側には、帯電部材３６によって表面が一様に帯電した像保持体３４の表面に、決められた色に対応した光を露光して静電潜像を形成させる露光装置４０が設けられている。さらに、露光装置４０に対して像保持体３４の回転方向の下流側には、像保持体３４の表面に形成された静電潜像を各色のトナーで現像し、トナー画像として可視化させる現像器４２が設けられている。
【００２４】
なお、中間転写ベルト３２の上方には、イエロー（Ｙ）、マゼンタ（Ｍ）、シアン（Ｃ）、黒（Ｋ）の各色の現像器４２に、決められた色のトナーを供給するトナーカートリッジ３８Ｙ、３８Ｍ、３８Ｃ、３８Ｋ（図１１参照）が設けられている。そして、黒（Ｋ）色のトナーを収容したトナーカートリッジ３８Ｋは、使用頻度が高いため、他のカラーのトナーカートリッジと比較して大きくされている。
【００２５】
一方、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。
【００２６】
この構成により、図１０、図１１に示されるように、原稿読取装置１４から、又はプリンターとして使用する場合には外部から、イエロー（Ｙ）、マゼンタ（Ｍ）、シアン（Ｃ）、黒（Ｋ）の各色の画像形成ユニット３０Ｙ、３０Ｍ、３０Ｃ、３０Ｋに個別に設けられた露光装置４０Ｙ、４０Ｍ、４０Ｃ、４０Ｋに各色の画像データが順次出力される。さらに、これらの露光装置４０Ｙ、４０Ｍ、４０Ｃ、４０Ｋから画像データに応じて出射された光は、帯電部材３６によって帯電した各色の像保持体３４の表面を露光し、像保持体３４の表面には静電潜像が形成される。像保持体３４の表面に形成された静電潜像は、現像器４２Ｙ、４２Ｍ、４２Ｃ、４２Ｋによって、それぞれイエロー（Ｙ）、マゼンタ（Ｍ）、シアン（Ｃ）、黒（Ｋ）の各色のトナー画像として現像される。
【００２７】
さらに、像保持体３４の表面に、順次形成されたイエロー（Ｙ）、マゼンタ（Ｍ）、シアン（Ｃ）、黒（Ｋ）の各色のトナー画像は、各色の画像形成ユニット３０Ｙ、３０Ｍ、３０Ｃ、３０Ｋの上方に傾斜して配置される中間転写ベルト３２上に、一次転写部材４６によって多重に転写される。
【００２８】
一方、この中間転写ベルト３２は、中間転写ベルト３２に駆動力を付与する駆動ロール４８と、従動回転する支持ロール５０と、中間転写ベルト３２に張力を付与する張力付与ロール５４と、第１のアイドラーロール５６と、第２のアイドラーロール５８とに一定のテンションで巻き掛けられている。
【００２９】
さらに、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで装置本体１０Ａに脱着自在とされている。
【００３０】
さらに、中間転写ベルト３２を挟んで支持ロール５０の反対側には、中間転写ベルト３２上に一次転写されたトナー画像を記録媒体としての記録シートＰに二次転写するための二次転写部材６０が配置されている。つまり、二次転写部材６０と支持ロール５０との間が記録シートＰへトナー画像を転写する二次転写位置とされている。
【００３１】
また、二次転写部材６０の上方には、二次転写部材６０によってトナー画像が転写されて搬送経路６２に沿って搬送される記録シートＰにトナー画像を定着させる定着装置６４が設けられている。定着装置６４は、記録シートＰの画像面側に配置された加熱ロール６４Ａと、記録シートＰを加熱ロール６４Ａに向けて加圧する加圧ロール６４Ｂとで構成されている。
【００３２】
さらに、定着装置６４に対して記録シートＰの搬送方向の下流側（以下単に「搬送方向下流側」という）には、トナー画像が定着された記録シートＰを搬送する搬送ロール６６が設けられ、搬送ロール６６の搬送方向下流側には、記録シートＰの搬送方向を切り替える切替ゲート６８が設けられている。
【００３３】
また、切替ゲート６８の搬送方向下流側には、一の方向に切り替えられた切替ゲート６８によって案内される記録シートＰを第１排出部６９に排出させる第１排出ロール７０が設けられている。
【００３４】
さらに、切替ゲート６８の搬送方向下流側には、他の方向に切り替えられた切替ゲート６８によって案内されて搬送ロール７３により搬送される記録シートＰを第２排出部７２に排出させる第２排出ロール７４と、記録シートＰを第３排出部７６に排出させる第３排出ロール７８とが設けられている。
【００３５】
一方、装置本体１０Ａの下部であって、二次転写部材６０に対して記録シートＰの搬送方向の上流側（以下単に「搬送方向上流側」という）には、記録シートＰが収容される給紙部８０、８２、８４、８６が設けられ、各給紙部８０、８２、８４、８６には、サイズの異なる記録シートＰが収容されている。
【００３６】
さらに、各給紙部８０、８２、８４、８６には、収容された記録シートＰを各給紙部８０、８２、８４、８６から搬送経路６２に持ち出す給紙ロール８８が設けられ、給紙ロール８８の搬送方向下流側には、記録シートＰを１枚ずつ搬送する搬送ロール９０及び搬送ロール９２が設けられている。
【００３７】
また、搬送ロール９２の搬送方向下流側には、記録シートＰを一端停止させ、決められたタイミングで二次転写位置へ送り出す位置合せロール９４が設けられている。
【００３８】
一方、記録シートＰの両面に画像を形成させるために、記録シートＰを反転させて搬送する両面用搬送ユニット９８が二次転写位置の側方に設けられている。この両面用搬送ユニット９８には、搬送ロール７３を逆転させることで搬送される記録シートＰが送り込まれる反転経路１００が設けられている。さらに、反転経路１００に沿って複数個の搬送ロール１０２が設けられ、これらの搬送ロール１０２によって搬送される記録シートＰは表裏が反転された状態で、位置合せロール９４に再度搬送される構成となっている。
【００３９】
また、両面用搬送ユニット９８の隣りには、折り畳み式の手差給紙部１０６が設けられている。そして、開放された折り畳み式の手差給紙部１０６から給紙される記録シートＰを搬送する給紙ロール１０８及び搬送ロール１１０、１１２が設けられており、搬送ロール１１０、１１２によって搬送された記録シートＰは、位置合せロール９４に搬送されるようになっている。
【００４０】
（要部構成）
次に、自動原稿搬送装置１２の下側に設けられた原稿読取装置１４について説明する。
【００４１】
図９に示されるように、原稿読取装置１４の筐体４１の上面には、読取原稿Ｇを静止させた状態で載せる第１プラテンガラス１６と、自動原稿搬送装置１２によって搬送される読取原稿Ｇを読み取るための第２プラテンガラス４３とが設けられている。
【００４２】
また、原稿読取装置１４は、読取原稿Ｇの被読取面の画像を読み込むための発光素子６１、導光部材６５等が取り付けられた第１キャリッジ１８と、第１キャリッジ１８に取り付けられた発光素子６１から出射された光を読取手段の一例としての結像部２０へ導く第２キャリッジ２２とを有している。
【００４３】
第１キャリッジ１８は、初期位置である第２プラテンガラス４３の下に静止しながら、又は第１プラテンガラス１６の全体に亘って移動しながら、読取原稿Ｇの被読取面に光Ｌを照射して、被読取面で反射された光Ｌを第２キャリッジ２２に導くようになっている。
【００４４】
これに対し、第２キャリッジ２２は、第１キャリッジ１８から入射された光Ｌを下方へ反射する第２ミラー４５Ａと、第２ミラー４５Ａで反射された光Ｌを反射して第１プラテンガラス１６及び第２プラテンガラス４３と平行な方向に折り返す第３ミラー４５Ｂとを備えている。
【００４５】
また、結像部２０は、第３ミラー４５Ｂによって折り返された光Ｌを結像する結像用レンズ２４と、結像用レンズ２４によって結像された光学像を光電変換する光電変換素子２６とを備えている。そして、光電変換素子２６によって変換された電気信号（画像信号）は、光電変換素子２６と電気的に接続された画像処理装置２８に送られる。画像処理装置２８は送られてきた電気信号を画像処理して制御部７１へ送り、制御部７１は受取った信号を画像データとして露光装置４０（図１１参照）へ送るようになっている。
【００４６】
詳細には、図８に示されるように、第１キャリッジ１８は、主走査方向（矢印Ｙ方向）に間隔をあけて対向配置された２枚の側板５５Ａ、５５Ｂと、主走査方向を長手方向として副走査方向（矢印Ｘ方向）に間隔をあけて配置され、両端部が側板５５Ａ、５５Ｂに固定される板金から成形された第１ホルダー５１及び第２ホルダー５３と、備えている。
【００４７】
また、側板５５Ａ、５５Ｂの外側には、それぞれ第３ホルダー４７及び第４ホルダー４９が取り付けられている。
【００４８】
なお、第１ホルダー５１及び第２ホルダー５３の上面は、第１キャリッジ１８の上面を構成しており、読取原稿Ｇの被読取面と対向配置されるようになっている。さらに、側板５５Ａと５５Ｂとの主走査方向の間隔は、読取原稿Ｇ（図１１参照）の主走査方向の画像形成領域よりも広くなっている。
【００４９】
また、第１ホルダー５１は、副走査方向で切った切断面がＬ字状となっており、第１キャリッジ１８の上面を構成する上壁５１Ａと、上壁５１Ａと交差する方向の側壁５１Ｂとを備えている。
【００５０】
さらに、図１、図６に示されるように、第１ホルダー５１の内側には、支持部材の一例としてのブラケット５７が、板金部材で形成されて主走査方向に延びて設けられている。そして、ブラケット５７における第１ホルダー５１の側壁５１Ｂ側には、２個の側壁５７Ａが側壁５１Ｂと重なるように形成され、ブラケット５７は下方が開放した形状とされている。
【００５１】
また、ブラケット５７の側壁５７Ａには、切り起こされた爪５７Ｃが設けられている。そして、爪５７Ｃと側壁５７Ａとの間で、第１ホルダー５１の側壁５１Ｂを挟み込むことで、第１ホルダー５１に対するブラケット５７の副走査方向（矢印Ｘ方向）の位置が決まるようになっている。
【００５２】
さらに、ブラケット５７の側壁５７Ａには、ネジ山が切られたネジ孔１１２と、第１ホルダー５１の側壁５１Ｂ側に突出する突起部１１４とが形成されている。
【００５３】
また、図２、図３、図７、図８に示されるように、第１ホルダー５１の側壁５１Ｂには、突起部１１４を保持する切欠部１１６が形成されている。切欠部１１６は、開口端が側壁５１Ｂの下端に形成されると共に、側壁５１Ｂの長手方向一方側に屈曲している。これにより、側壁５１Ｂの下端から切欠部１１６に進入した突起部１１４を、側壁５１の長手方向一方側（図７における左下側）の切欠部１１６の奥側に案内するようになっている。切欠部１１６の奥側に案内された突起部１１４は、切欠部１１６の奥側において切欠部９５の内壁に上下側から挟まれて保持されるようになっている。
【００５４】
一方、図１、図６に示されるように、ブラケット５７において側壁５７Ａの反対側には、副走査方向に対して傾斜する平面部５７Ｂが設けられている。この平面部５７Ｂには、主走査方向を長手方向とした基板の一例としての回路基板５９が支持されている。さらに、この回路基板５９上には、主走査方向に沿って列状に並べられた点光源の一例としての発光素子６１が取り付けられている。
【００５５】
詳細には、図１、図５に示されるように、回路基板５９の一の面５９Ａに発光素子６１が取り付けられ、回路基板５９の他の面５９Ｂが平面部５７Ｂに支持されている。そして、回路基板５９には、長手方向に決められた間隔で４個の貫通孔９６が設けられており、この貫通孔９６と対応する平面部５７Ｂには、ネジ山が切られたネジ孔１１８が設けられている。そして、４本のボルト１２０を、貫通孔９６を通してネジ孔１１８に締め込むことで、発光素子６１が取り付けられた回路基板５９がブラケット５７に固定されるようになっている。
【００５６】
また、図１、図４に示されるように、回路基板５９がブラケット５７に固定された状態で、発光素子６１を回路基板５９の他の面５９Ｂ（裏面）に投影させた投影部８６をブラケット５７の平面部５７Ｂが支持するように、平面部５７Ｂの形状が決められている。
【００５７】
さらに、回路基板５９は、端部に接続されたフレキシブル基板６３（図８参照）を介して制御部７１（図１１参照）から給電されるようになっている。
【００５８】
なお、本実施形態では、発光素子６１としてＬＥＤ（Ｌｉｇｈｔ  Ｅｍｉｔｔｉｎｇ  Ｄｉｏｄｅ）素子を用いるが、これに限らず、点状に発光するものであればよい。例えば、有機ＥＬ（Ｅｌｅｃｔｒｏ  Ｌｕｍｉｎｅｓｃｅｎｃｅ）素子や、無機ＥＬ素子等、他の発光素子を用いてもよい。
【００５９】
また、画像形成装置１０の制御部７１（図１１参照）には、回路基板５９を通して発光素子６１を発光（駆動）させるための光源駆動回路（図示省略）が内蔵されている。さらに、この光源駆動回路は、各発光素子６１毎に発光のオン及びオフを切り替えるスイッチと、各発光素子６１から読取原稿Ｇの被読取面に照射される光の光量を調整する抵抗器とを備えている。そして、光源駆動回路は、発光素子６１の発光のオン及びオフを制御するための光源駆動信号、及び光の光量を調整するための調整信号に基づいて発光素子６１を発光（駆動）させるようになっている。
【００６０】
一方、図１に示されるように、第１キャリッジ１８内には、発光素子６１の光の出射面と対向して、主走査方向を長手方向とする導光部材６５が設けられている。この導光部材６５は、透明樹脂（例えばアクリル樹脂）を直方体状に成形したものであり、発光素子６１が出射した光が入射する光入射面６５Ａと、この光入射面６５Ａから入射した光が出射する光出射面６５Ｂとを備えている。さらに、導光部材６５の主走査方向の両端部は、側板５５Ａ、５５Ｂ（図８参照）によって支持されるようになっている。そして、導光部材６５は、指向性を有する光を少なくとも主走査方向に拡散させ、発光素子６１から出射された光を読取原稿Ｇ（図１参照）の被読取面の近くまで導く構成となっている。
【００６１】
これにより、導光部材６５の光出射面６５Ｂでは、光入射面６５Ａから入射した発光素子６１の光が内部で全反射して出射するようになっており、光出射面６５Ｂにおける光量分布のばらつきが抑えられるようになっている。
【００６２】
さらに、導光部材６５の光出射面６５Ｂには、透光性を有する拡散板６７が接合されている。拡散板６７の表面には、導光部材６５の光出射面６５Ｂから出射された光を拡散させる凹凸が形成されている。
【００６３】
また、拡散板６７から副走査方向へ予め定められた距離だけ離れた位置には、拡散板６７から出射された光の一部を反射して読取原稿Ｇ（図１１参照）の被読取面まで導く反射板７９が配置されている。反射板７９は、主走査方向を長手方向とする鏡面体であり、光を反射される反射面とは反対側の面が第２ホルダー５３に固定されている。
【００６４】
また、導光部材６５及び拡散板６７よりも下方には、読取原稿Ｇの被読取面で反射された光を第２キャリッジ２２の第２ミラー４５Ａ（図９参照）に導く第１ミラー７５が設けられている。なお、第１ミラー７５は、側板５５Ａ、５５Ｂ（図８参照）に形成された穴部に両端部が挿通されて保持されている。
【００６５】
（作用）
この構成により、図１、図９に示されるように、各発光素子６１から出射された光Ｌは、導光部材６５の内部を全反射しながら進み拡散板６７で拡散される。そして、拡散板６７で拡散された光Ｌの一部は、第２プラテンガラス４３又は第１プラテンガラス１６を透過して読取原稿Ｇの被読取面に照射され、光Ｌの残りは、反射板７９で反射された後に第２プラテンガラス４３又は第１プラテンガラス１６を透過して読取原稿Ｇの被読取面に照射される。
【００６６】
このように、第１キャリッジ１８に取り付けられた発光素子６１は、副走査方向の前方及び後方から読取原稿Ｇの被読取面に光Ｌを照射するようになっている。そして、読取原稿Ｇの被読取面に照射された光Ｌは、被読取面で反射され、続いて第１ミラー７５で反射されて、第２キャリッジ２２から結像用レンズ２４を経て光電変換素子２６で結像される。
【００６７】
ここで、第１プラテンガラス１６に載せられた読取原稿Ｇの被読取面を読み取る場合には、第１キャリッジ１８と第２キャリッジ２２とが、移動距離２：１の割合で移動方向（図９に示す矢印Ｅ方向）に移動する。このとき、第１キャリッジ１８から読取原稿Ｇの被読取面に光Ｌが照射され、被読取面で反射された光Ｌが第２キャリッジ２２に導かれ、第２ミラー４５Ａ、第３ミラー４５Ｂの順に反射されて結像用レンズ２４に導かれる。そして、結像用レンズ２４に導かれた光Ｌは、光電変換素子２６の受光面に結像される。なお、第２キャリッジ２２の移動距離が第１キャリッジ１８の移動距離の半分となっていることで、読取原稿Ｇの被読取面から光電変換素子２６までの光Ｌの光路長が変化しないようになっている。
【００６８】
これに対し、自動原稿搬送装置１２によって搬送される読取原稿Ｇの被読取面を読み取る場合には、第１キャリッジ１８と第２キャリッジ２２は、原稿読取装置１４の一端（図９の左端）に示す実線の読取位置に停止した状態にある。この読取位置において、第１キャリッジ１８に取り付けられた発光素子６１から自動原稿搬送装置１２によって搬送される読取原稿Ｇの被読取面に第２プラテンガラス４３を透過して光Ｌが照射される。そして、被読取面で反射された光Ｌは第２キャリッジ２２に導かれる。
【００６９】
詳細には、搬送されてきた読取原稿Ｇの被読取面の１ライン目で反射された光Ｌが第２キャリッジ２２を通して結像用レンズ２４で結像され、光電変換素子２６によって画像が読み込まれる。つまり、１次元のセンサである光電変換素子２６によって主走査方向の１ライン分を同時に処理した後、搬送される読取原稿Ｇの次の主走査方向の１ラインが読み込まれる。そして、読取原稿Ｇの後端が第２プラテンガラス４３の読取位置を通過することによって、副走査方向に亘って読取原稿Ｇの被読取面の１ページの読み取りが完了する。
【００７０】
ここで、発光素子６１が光Ｌを出射する際には、発光素子６１は熱を放出し、この熱は回路基板５９に伝達される。回路基板５９に熱が吸収されると回路基板５９の温度が必要以上に高くなり回路基板５９が変形する（反ってしまう）ことが考えられる。
【００７１】
しかし、本実施形態では、前述したように、回路基板５９がブラケット５７に支持された状態で、発光素子６１を回路基板５９の他の面５９Ｂに投影させた投影部８６をブラケット５７の平面部５７Ｂが支持するように、平面部５７Ｂの形状が決められている。つまり、発光素子６１によって回路基板５９へ放出された熱は、回路基板５９に必要以上に吸収されることなく、樹脂部材に比して熱伝達率が高い板金部材で形成されたブラケット５７の平面部５７Ｂへ伝達される。
【００７２】
このように、発光素子６１によって回路基板５９へ放出された熱が、回路基板５９に必要以上に吸収されずにブラケット５７の平面部５７Ｂへ伝達されることで、回路基板５９の温度が必要以上に高くなるのが抑制される。
【００７３】
また、回路基板５９の温度が必要以上に高くなるのが抑制されることで、回路基板５９が変形する（反ってしまう）のが抑制される。つまり、ブラケット５７により、発光素子６１が発した熱は放熱させる。
【００７４】
また、回路基板５９の変形が抑制されることで、発光素子６１によって読取原稿Ｇの被読取面に照射される光量が均一となり、像保持体３４の表面に意図した潜像が形成される。
【００７５】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、板金部材で形成されたブラケット５７に熱を伝達させて回路基板５９の温度が必要以上に高くなるのを抑制したが、ブラケットは特に板金部材で形成されることなく、熱伝導率が高い部材であればよく、例えば、シリコン等で成形される部材であってもよい。また、本実施形態では回路基板５９とブラケット５７は４本のボルト１２０で固定しているが、回路基板５９が熱により膨張してもブラケット５７との密着性が保たれていればよく、両端部の他に少なくとも１箇所が固定されていればよい。
【符号の説明】
【００７６】
１０        画像形成装置
１４        原稿読取装置
２０        結像部（読取手段の一例）
３４        像保持体
４０        露光装置
５７        ブラケット（支持部材の一例）
５９        回路基板（基板の一例）
５９Ａ      一の面
５９Ｂ      他の面
６１        発光素子（光源の一例）
８６        投影部（投影部分）
【図１】
2011023869.tif 000003
【図２】
2011023869.tif 000004
【図３】
2011023869.tif 000005
【図４】
2011023869.tif 000006
【図５】
2011023869.tif 000007
【図６】
2011023869.tif 000008
【図７】
2011023869.tif 000009
【図８】
2011023869.tif 000010
【図９】
2011023869.tif 000011
【図１０】
2011023869.tif 000012
【図１１】
2011023869.tif 000013